(57)【要約】  本発明は、海洋無脊椎動物の封じ込め、特にスターフィッシュ・オニヒトデの封じ込めのための方法、組成物およびキットならびにそれらの使用に関する。このような生物は、サンゴ礁またはサンゴが存在する他の環境に重大な損害を与える可能性がある。本発明の方法、組成物およびキットは、有効性、実施の簡便性およびコストの点で一連の利点を有する。
2020510446.tif 000002
【特許請求の範囲】
【請求項１】
環境に有害な海洋無脊椎動物の拡散を封じ込めるための方法であって、
該海洋動物上に、その細孔の外側への開口を遮断するのに適した組成物を沈着させる工程を含む方法。
【請求項２】
前記海洋動物が、腔腸動物または棘皮動物である、請求項１に記載の方法。
【請求項３】
前記海洋動物が、スターフィッシュ・オニヒトデ、マンジューヒトデ属に属するスターフィッシュ、またはアイプタシア属に属する腔腸動物である、請求項１に記載の方法。
【請求項４】
前記海洋動物が、スターフィッシュ・オニヒトデまたはマンジューヒトデ属に属するスターフィッシュであって、配偶子の放出に用いられる細孔の開口を遮断するために前記組成物が沈着されるか、あるいは、前記海洋動物が、アイプタシア属に属する腔腸動物であって、栄養摂取に用いられる細孔の開口を遮断するために前記組成物が沈着される、請求項１に記載の方法。
【請求項５】
前記組成物が、ビニルゲルを含むか、またはビニルゲルからなる、請求項１〜４のいずれか１項に記載の方法。
【請求項６】
前記ビニルゲルが、アルコール−ポリビニルおよび／またはポリ酢酸ビニルからなる、請求項５に記載の方法。
【請求項７】
前記ビニルゲルの重合が、ホウ酸および／またはホウ砂の存在下で得られる、請求項５または６に記載の方法。
【請求項８】
前記組成物が、寒天をさらに含む、請求項１〜７のいずれか１項に記載の方法。
【請求項９】
前記組成物が、二酸化チタンをさらに含む、請求項１〜８のいずれか１項に記載の方法。
【請求項１０】
前記組成物が、炭酸塩砂をさらに含む、請求項１〜９のいずれか１項に記載の方法。
【請求項１１】
前記組成物が、１種以上の水不溶性染料をさらに含む、請求項１〜１０のいずれか１項に記載の方法。
【請求項１２】
前記組成物が、部分的または全体的に水に不溶性である、請求項１〜１１のいずれか１項に記載の方法。
【請求項１３】
ポリビニルゲルを含む、特にアルコール−ポリビニルおよび／またはポリ酢酸ビニルからなる、環境に有害な海洋無脊椎動物の拡散を封じ込めるための組成物。
【請求項１４】
二酸化チタン、寒天、および／または炭酸塩砂をさらに含む、請求項１３に記載の組成物。
【請求項１５】
請求項１３または１４に記載の組成物、ならびに、２５０〜５００μｍの間の粒度分布を有する１以上のふるい、および／または液体を混合するための１以上の容器、および／または前記組成物を収容するように適合された１以上の生分解性バッグ、および／またはコーキングガン用の１以上のカートリッジ、および／またはコーキングガンを含む、環境に有害な海洋無脊椎動物の拡散を封じ込めるためのキット。
【発明の詳細な説明】
【技術分野】
【０００１】
本発明は、海洋無脊椎動物の封じ込め、特にスターフィッシュ・オニヒトデ（ｓｔａｒｆｉｓｈ  Ａｃａｎｔｈａｓｔｅｒ  ｐｌａｎｃｉ）の封じ込めのための方法、組成物、キットおよびそれらの使用に関する。このような生物は、サンゴ礁またはサンゴが存在する他の環境に重大な損害を与える可能性がある。
【背景技術】
【０００２】
海洋無脊椎動物、たとえばある種の腔腸動物や棘皮動物の制御不能の拡散は、海洋生態系にとってきわめて危険である。特に、ｓｔａｒｆｉｓｈ  Ａｃａｎｔｈａｓｔｅｒ  ｐｌａｎｃｉ、スターフィッシュ・オニヒトデ（一般名：鬼海星（ｃｒｏｗｎ  ｏｆ  ｔｈｏｒｎｓ  ｓｔａｒｆｉｓｈ））は専らサンゴを食べ、サンゴに関しては大きな破壊的ポテンシャルを持っている。それは、サンゴ礁に登ってポリープ上の胃を曲げて、消化酵素を放出し、液化した有機組織を吸収することによって食べる、攻撃的で比較的速い捕食者である。単一の検体は、１年間で最大６平方メートルのサンゴを破壊することができる。良好な状態のサンゴ礁は、１ヘクタールあたり２０〜３０検体のオニヒトデに耐性を示すことができるが、この数は現在までに数カ国で広く超過されている。
【０００３】
従来技術において、オニヒトデを死滅および／または除去するためのいくつかの方法が提案されており、例えば、日本国・特願２００７−１６１６９１は、アンモニウム塩の使用を記載している。これらの方法は、スターフィッシュ（ｓｔａｒｆｉｓｈ：ヒトデ）による配偶子の過剰産生を刺激するという望ましくない効果を有する。実際、ストレス条件下では、配偶子の瞬間的な放出に至るメカニズムを活性化し、すぐ新しいスターフィッシュを産み出す（単に卵数を知るだけで、文献では毎年１匹の雌が６０００万個もの卵を生産できることを示すデータがある）。さらに、成体のスターフィッシュが断片化した場合、それぞれの断片は新しい個体を再生できる（たとえば、１ヶ月の間に半分に切断した場合、失われた半分を再生できる、あるいは２個の半分が結合して再び個体を形成する）。
【０００４】
日本国・特願２００２−３０６０５０は、サンゴに対する損傷を封じ込めるために海床に固定された特定のネットの使用を記載している。しかし、この構造の使用は侵襲的で、高価であり、ほとんど適用できない。
【発明の概要】
【発明が解決しようとする課題】
【０００５】
本発明の目的は、従来技術の欠点を有しない、環境に有害な海洋無脊椎動物の拡散を封じ込める方法、組成物およびキットを提供することである。
【０００６】
したがって、本発明によって提起され解決される技術的課題は、効果的で、実施が簡単で、高価でない、海洋無脊椎動物を封じ込めるための方法、組成物およびキットを提供することである。
【課題を解決するための手段】
【０００７】
このような課題は、請求項１に記載の方法、請求項１３に記載の組成物、および請求項１５に記載のキットによって解決される。
【０００８】
本発明の好ましい特徴は、従属請求項に記載されている。
【０００９】
本発明の他の利点、特徴、および使用モードは、限定目的ではなく、例として示されるいくつかの実施形態の以下の詳細な説明から明らかになるであろう。
【図面の簡単な説明】
【００１０】
【図１】図１は、生体の背部の生殖孔の位置が示されている、オニヒトデの一例の写真である。
【発明を実施するための形態】
【００１１】
本発明の方法は、その制御不能の拡散が環境に損傷を与えることがある海洋無脊椎動物を封じ込めることを目的とする。特に、本方法は、腔腸動物および棘皮動物の封じ込めに関し、例えば、スターフィッシュ・オニヒトデ（ｓｔａｒｆｉｓｈ  Ａｃａｎｔｈａｓｔｅｒ  ｐｌａｎｃｉ）、マンジューヒトデ属（ｇｅｎｕｓ  ｃｕｌｃｉｔａ）に属するスターフィッシュ、およびアイプタシア属（ｇｅｎｕｓ  Ａｉｐｔａｓｉｅ）に属する腔腸動物の封じ込めに関する。これらの生物の封じ込めは、海洋環境、特にサンゴ礁の保護に役立つ。他方、アイプタシア属に属する腔腸動物の蔓延は、水族館（ａｑｕａｒｉａ：水槽）で非常に危険な結果を招く。この方法は、必須の工程として、生物の細孔をブロックするのに適した組成物の沈着を提供し、ここで、細孔とは外界に向かっている生物のいかなる開口をも意味し、その開口は、開口自体の生存に必要である。
【００１２】
一実施形態によると、この方法は、配偶子を放出する傾向がある細孔の開口を遮断するのに適した組成物を、スターフィッシュ上に、特に動物の反口側（水に向かう側）の上に沈着させる工程を提供する。
【００１３】
組成物を細孔に注ぐことにより配偶子の放出を遮断し、それによって海洋環境への損傷の原因であるその制御不能の再生に制限を与える。
【００１４】
本明細書において、「配偶子を放出する傾向がある細孔の開口を遮断するのに適した組成物」とは、組成物が、棘皮動物の外側表面に付着したままであるのに十分であり、かつそのような放出が起こる背側領域全体で配偶子が放出されるのを防ぐのに十分な粘度によって特徴付けられることを意味する。
【００１５】
一実施形態によると、組成物は、ビニルゲルを含むか、またはビニルゲルからなる。使用できるビニルゲルの例としては、１０００Ｄａ〜１００００００Ｄａの範囲の分子量を有するアルコール−ポリビニルのコポリマー、１０００Ｄａ〜１００００００Ｄａの範囲の重量を有するポリ酢酸ビニルのコポリマー、またはそれらの混合物が挙げられる。好ましくは、ポリマーは１０〜９９．９％の間の加水分解で用いられ、重合は好ましくはホウ砂および／またはホウ酸の存在下で得られるであろう。
【００１６】
一実施形態によると、組成物は、寒天、アガロースまたは類似の多糖類をさらに含むことができる。これは、好ましくは５〜１０重量％の間の濃度である。寒天は、粘度を増大させ、炭酸塩砂を所定位置に保持することを容易にする。
【００１７】
一実施形態によると、組成物は、二酸化チタンをさらに含むことができる。これは、好ましくは０．５〜５％の間の濃度である。
【００１８】
有利なことに、二酸化チタンは、配偶子を妨害する製品の沈着に続く時間においてさえも海洋動物、特にオニヒトデの検出を容易にし、それによって、操作者による配偶子の環境からの除去を容易にし、さらに、製品は本質的に半透明のように見えるので、二酸化チタンによって与えられる色は、オニヒトデ上での同製品の位置決めを容易にする。
【００１９】
一実施形態によると、組成物は、炭酸塩砂、好ましくは０．５〜５ｍｍの間の粒度分布（ｇｒａｎｕｌｏｍｅｔｒｙ）を有する炭酸塩砂をさらに含むことができる。例えば、これは１０〜４０重量％の間の濃度である。
【００２０】
炭酸塩砂は、ゼラチン状生成物をより重くし、同じ場所に容易に保つことができる。炭酸塩砂は、サンゴ礁が存在する熱帯海床に存在するサンゴ砂にほかならない。サンゴ砂はどこにでもあるので、いったん機能を終えれば、いかなる損傷も生じることなく、生態系の非生物的要素に属するようになるだろう。
【００２１】
また、本発明は、環境に有害な海洋無脊椎動物の蔓延を封じ込めるためのキットであって、本明細書に記載された態様のいずれか１つによる組成物を含むキットに関する。
【００２２】
このキットは、０．２５０〜０．５ｍｍの間の粒度分布を有する１以上のふるいを含み得る。このふるいは、ゲルと混合する前に、サンゴ砂を適切な粒度分布で濾過するのに用いられる。
【００２３】
キットは、さらに、組成物を生物の細孔上に沈着させるために、サンゴ砂と混合されるべきゲル中の組成物を収容するのに適した、１つまたは複数の、好ましくは生分解性のバッグ、および関連するカートリッジと共にコーキングガンを含むことができる。コーキングガンの代わりに、生分解性バッグを用いて組成物を沈着させることもできる。
【００２４】
さらに、キットは、ゲル中の組成物をサンゴ砂と混合するための１以上の容器、例えば、５００または１０００ｍｌの較正された容器を含むことができる。
【００２５】
追加の実施形態によると、組成物は、適切な容量を有するシリンジ、例えば、１リットルの容量を有するシリンジ（Ｈａｚｅｔ  ２１６２−６  Ｓｕｃｔｉｏｎ  Ａｎｄ  Ｐｒｅｓｓｕｒｅ  Ｓｙｒｉｎｇｅ）によって沈着されるか、または代替として、細孔上に配置される材料は、約２ｃｍの厚みおよび約３０ｃｍ×３０ｃｍのサイズを有する「シート」のようにモデル化され得る（このような形状は、プラスチックバッグの助けを借りて実行され得る）。
【００２６】
上述のように、組成物およびキットは、海洋無脊椎動物の封じ込めのために使用することができ、特に、それらは、腔腸動物および他の棘皮動物のような生物の外側でそれらの細孔の開口を防ぐために使用することができる。例えば、他の有害な海洋生物の例としては、マンジューヒトデ属に属するスターフィッシュ、あるいはアイプタシア属（ｇｅｎｕｓ  Ａｉｐｔａｓｉｅ）に属する腔腸動物などの水族館に蔓延る腔腸動物が挙げられる。ここで、上記組成物は、海洋無脊椎動物の拡散を避けるために海洋無脊椎動物の細孔上に組成物を沈着させる工程を含む海洋無脊椎動物の封じ込め方法において有利に使用することができる。
【実施例】
【００２７】
以下に、本明細書に記載された方法に使用できる組成物のいくつかの例を示す。
【００２８】
例１（ビニルゲルの調製）
アルコール−ポリビニル（ＰＶＡ、Ｍｏｗｉｏｌ（登録商標）１８−８８）５０ｇ、寒天２ｇ、ホウ砂７．５ｇおよび二酸化チタン０．５ｇを水２．２リットルに混合する。
【００２９】
例２
組成物は以下を含む：
−ビニルゲル６５％：ポリ酢酸ビニル５ｇを蒸留水５００ｍｌに混合し、煮沸して生成物を得る；
−３〜５ｍｍの間の粒度分布を有する炭酸塩砂３０％；
−寒天５％；
−任意選択で、水に不溶の天然の白色染料。
【００３０】
こうして調製した組成物を１リットル容量のシリンジ（Ｈａｚｅｔ  ２１６２−６  Ｓｕｃｔｉｏｎ  Ａｎｄ  Ｐｒｅｓｓｕｒｅ  Ｓｙｒｉｎｇｅ）内に挿入するか、または代替的に、細孔上に配置する材料を、厚み約２ｃｍ、サイズ約３０ｃｍ×３０ｃｍの「シート」のようにモデル化することができる（このような形状は、プラスチックバッグの助けを借りて実行することができる）。
【００３１】
１．実験データ
２０１６年１０月には、３０種のオニヒトデを用いて実験を行った。１５検体について、吸引および加圧シリンジ：ｈａｚｅｔ２１６２／６によって製品を適用し、他の１５検体は、プラスチックバッグの助けを借りて、３０ｃｍ×３０ｃｍシート（厚み２ｃｍ）の形態で調製した製品を適用して処理した。
【００３２】
いずれの場合も、製品は配偶子の放出を防ぐことによってオニヒトデの表面に完全に付着した。二酸化チタンの存在は、作業員が数時間後に製品沈着の場所に戻ったときでも容易な発見を可能にし、その適用から３日目まで視認可能であるという結果を得た。
【００３３】
本発明は、いくつかの好ましい実施形態を参照して、これまで記載されてきた。以下に記載する特許請求の範囲の保護範囲によって明らかにされるように、同じ発明の主旨に属する他の実施形態が存在してもよいことに留意すべきである。
【図１】
2020510446.tif 000003
【国際調査報告】
2020510446.tif 000004
2020510446.tif 000005
2020510446.tif 000006
2020510446.tif 000007
2020510446.tif 000008